(57)【要約】【課題】撮影の種類および動画撮影のフレームレートを容易に切り替えることができる撮像装置、撮像方法および撮像プログラムを提供する。【解決手段】静止画撮影モードと、動画撮影時の複数のフレームレートの設定が連続的に入力可能な第１入力部からの入力に応じた撮影設定を行う制御部とを備える撮像装置である。【選択図】図５
2017169021.tif 000002
【特許請求の範囲】
【請求項１】
静止画撮影モードと、動画撮影時の複数のフレームレートの設定が連続的に入力可能な第１入力部からの入力に応じた撮影設定を行う制御部と
を備える撮像装置。
【請求項２】
前記第１入力部は、第１のフレームレートから、前記静止画撮影モード、前記第１のフレームレートよりも低い値である第２のフレームレートへと連続的に入力可能である
請求項１に記載の撮像装置。
【請求項３】
前記第１入力部は、第１のフレームレートから、前記第１のフレームレートよりも低い値である第２のフレームレート、前記静止画撮影モードへと連続的に入力可能である
請求項１に記載の撮像装置。
【請求項４】
前記第１入力部は、第１のフレームレートから、該第１フレームレートよりも低い値である第２のフレームレート、前記静止画撮影モード、前記第２のフレームレートよりも低い値である第３のフレームレートへと連続的に入力可能である
請求項１に記載の撮像装置。
【請求項５】
前記第１入力部は、第１のフレームレートから、前記静止画撮影モード、前記第１フレームレートよりも低い値である第２のフレームレート、該第２のフレームレートよりも低い値である第３のフレームレートへと連続的に入力可能である
請求項１に記載の撮像装置。
【請求項６】
前記第１入力部は、第１のフレームレートから、前記静止画撮影モード、前記第１フレームレートよりも低い値である第２のフレームレート、該第１のフレームレートよりも高い値である第３のフレームレート、前記第１フレームレートへと連続的に入力可能である
請求項１に記載の撮像装置。
【請求項７】
前記第１入力部はさらに、前記第１のフレームレートから該第１のフレームレートまでの一連の連続的な入力において、複数回前記静止画撮影モードへの設定が可能である
請求項６に記載の撮像装置。
【請求項８】
前記第１入力部は、２つの異なる方向への入力で前記静止画撮影モードと、前記動画撮影時の複数のフレームレートの設定が連続的に入力可能である
請求項１に記載の撮像装置。
【請求項９】
前記ユーザからの前記静止画の撮影および前記動画の撮影の指示を受け付ける第２入力部を備える
請求項１に記載の撮像装置。
【請求項１０】
前記第２入力部は前記第１入力部と一体的に構成されている
請求項９に記載の撮像装置。
【請求項１１】
前記第２入力部への入力は前記第１入力部への入力とは異なる方向への入力である
請求項１０に記載の撮像装置。
【請求項１２】
前記第２入力部は２種類の入力を受け付け可能に構成されている
請求項９に記載の撮像装置。
【請求項１３】
前記静止画を撮影するモードで動作している場合において、前記第１入力部が前記フレームレートの選択指示を受け付けた場合、前記制御部は、前記動画を撮影するモードに遷移させる
請求項１に記載の撮像装置。
【請求項１４】
前記制御部は、前記動画の撮影中に前記第１入力部に前記フレームレートの切り替えを指示する入力がなされた場合、前記フレームレートの切り替え処理を行なう
請求項１に記載の撮像装置。
【請求項１５】
前記第１入力部は、回転操作可能なダイヤルとして構成されている
請求項１に記載の撮像装置。
【請求項１６】
前記第１入力部と一体的に構成され、押動可能なスイッチとして構成されている第２入力部を備える
請求項１５に記載の撮像装置。
【請求項１７】
前記第１入力部は、操作片が所定の方向にスライドするスライダとして構成されている
請求項１に記載の撮像装置。
【請求項１８】
前記第１入力部は、タッチパネルで構成されている
請求項１に記載の撮像装置。
【請求項１９】
静止画撮影モードと、動画撮影時の複数のフレームレートの設定が連続的に入力可能な第１入力部からの入力に応じた撮影設定を行う
撮像方法。
【請求項２０】
静止画撮影モードと、動画撮影時の複数のフレームレートの設定が連続的に入力可能な第１入力部からの入力に応じた撮影設定を行う
撮像方法をコンピュータに実行させる撮像プログラム。
【発明の詳細な説明】
【技術分野】
【０００１】
本技術は、撮像装置、撮像方法および撮像プログラムに関する。
【背景技術】
【０００２】
近年、多くのカメラが静止画および動画を撮影する機能を備えている。また、動画撮影時のフレームレートの切り替えを行なうことが可能なカメラも提案されている。
【０００３】
そのようなカメラにおいては、撮影種類および動画撮影時のフレームレートの切り替えの操作性が重要となる。そこで、動画撮影および静止画撮影の切り替えを容易にする提案がなされている（特許文献１）
【先行技術文献】
【特許文献】
【０００４】
【特許文献１】特開平１１−２１５４２９号公報
【発明の概要】
【発明が解決しようとする課題】
【０００５】
しかし、引用文献１に記載の技術は、フレームレートの変更に対応していない点が不十分であるといえる。
【０００６】
本技術はこのような問題点に鑑みなされたものであり、撮影の種類および動画撮影のフレームレートを容易に切り替えることができる撮像装置、撮像方法および撮像プログラムを提供することを目的とする。
【課題を解決するための手段】
【０００７】
上述した課題を解決するために、第１の技術は、静止画撮影モードと、動画撮影時の複数のフレームレートの設定が連続的に入力可能な第１入力部からの入力に応じた撮影設定を行う制御部とを備える撮像装置である。
【０００８】
また、第２の技術は、静止画撮影モードと、動画撮影時の複数のフレームレートの設定が連続的に入力可能な第１入力部からの入力に応じた撮影設定を行う撮像方法である。
【０００９】
さらに、第３の技術は、静止画撮影モードと、動画撮影時の複数のフレームレートの設定が連続的に入力可能な第１入力部からの入力に応じた撮影設定を行う撮像方法をコンピュータに実行させる撮像プログラムである。
【発明の効果】
【００１０】
本技術によれば、撮影の種類および動画撮影のフレームレートを容易に切り替えることができる。なお、ここに記載された効果は必ずしも限定されるものではなく、明細書中に記載されたいずれかの効果であってもよい。
【図面の簡単な説明】
【００１１】
【図１】本技術に係る撮像装置の構成を示すブロック図である。
【図２】第１の実施形態に係る撮像装置の外観構成を示す図であり、図２Ａは正面図、図２Ｂは背面図、図２Ｃは上面図である。
【図３】図３Ａは入力装置の構成を示す撮像装置の上面視部分拡大図であり、図３Ｂは入力装置の構成の他の例を示す上面視部分拡大図であり、図３Ｃは入力装置の構成を示す側面視部分拡大図である。
【図４】第１の実施形態に係る撮像装置の外観構成の第２の例を示す図であり、図４Ａは正面図、図４Ｂは背面図、図４Ｃは上面図、図４Ｄは外観構成の他の例を示す背面図である。
【図５】撮像装置の状態遷移の第１の例を示す図である。
【図６】撮像装置の状態遷移の第２の例を示す図である。
【図７】制御部による処理の流れを示すフローチャートである。
【図８】第２の実施形態に係る撮像装置の外観構成を示す図であり、図８Ａは正面図、図８Ｂは背面図、図８Ｃは上面図、図８Ｄは外観構成の他の例を示す背面図である。
【図９】第３の実施形態に係る撮像装置の外観構成を示す図であり、図９Ａは背面図、図９Ｂは正面図、図９Ｃは外観構成の他の例を示す正面図、図９Ｄは外観構成の他の例を示す正面図である。
【図１０】撮像装置の変形例を示す図である。
【発明を実施するための形態】
【００１２】
以下、本技術の実施の形態について図面を参照しながら説明する。なお、説明は以下の順序で行う。
＜１．第１の実施の形態＞
［１−１．撮像装置の内部構成］
［１−２．撮像装置の外観構成］
［１−３．撮像装置の状態遷移］
［１−４．撮像装置における処理］
＜２．第２の実施の形態＞
［２−１．撮像装置の外観構成］
＜３．第３の実施の形態＞
［３−１．撮像装置の外観構成］
＜４．変形例＞
【００１３】
＜１．第１の実施の形態＞
［１−１．撮像装置の内部構成］
まず、第１の実施の形態に係る撮像装置１００の構成について説明する。図１は、撮像装置１００の構成を示すブロック図である。
【００１４】
撮像装置１００は、制御部１１、光学撮像系１２、レンズ駆動ドライバ１３、撮像素子１４、信号処理ＬＳＩ（Large-Scale Integration）１５、第１現像処理部１６、第２現像処理部１７、記録再生処理部１８、記憶部１９、表示部２０、第１入力部２１、第２入力部２２、第３入力部２３を備えて構成されている。
【００１５】
制御部１１は、ＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１００全体の制御を行う。また、制御部１１は第１入力部２１、第２入力部２２、第３入力部２３からの入力に応じて静止画撮影と動画撮影の撮影モードの切り替え、動画撮影のフレームレートの切り替え処理など本技術における処理を行なう。
【００１６】
光学撮像系１２は、被写体からの光を撮像素子１４に集光するための撮影レンズ、撮影レンズを移動させてフォーカス合わせやズーミングを行うための駆動機構、シャッタ機構、アイリス機構などから構成されている。これらは制御部１１からの制御信号に基づいて駆動される。光学撮像系１２を介して得られた被写体の光画像は、撮像デバイスとしての撮像素子１４上に結像される。
【００１７】
レンズ駆動ドライバ１３は、例えばマイコンなどにより構成され、制御部１１の制御に従い撮影レンズを光軸方向に沿って所定量移動させることにより、目標とする被写体に合焦するようにオートフォーカスを行なう。また、制御部１１からの制御に従い、光学撮像系１２の駆動機構、シャッタ機構、アイリス機構などの動作を制御する。これにより、露光時間（シャッタースピード）の調整、絞り値（Ｆ値）などの調整がなされる。
【００１８】
撮像素子１４は、被写体からの入射光を光電変換して電荷量に変換して、画素信号を出力する。そして、撮像素子１４は、最終的に画素信号からなる撮像信号を信号処理ＬＳＩ１５に出力する。撮像素子１４としては、ＣＣＤ（Charge Coupled Device）、ＣＭＯＳ（Complementary Metal Oxide Semiconductor）などが用いられる。
【００１９】
第１現像処理部１６は撮像素子１４から出力された撮像信号に対して、ＣＤＳ（Correlated Double Sampling）処理によりＳ／Ｎ（Signal／Noise）比を良好に保つためのサンプルホールド、ＡＧＣ（Auto Gain Control）処理、Ａ／Ｄ（Analog/Digital）変換などを行ない、画像信号を生成する。
【００２０】
さらに第１現像処理部１６は、デモザイク処理、ホワイトバランス調整処理や色補正処理、ガンマ補正処理、Ｙ／Ｃ変換処理、ＡＥ（Auto Exposure）処理、解像度変換処理などの所定の信号処理を画像信号に対して施してもよい。
【００２１】
第２現像処理部１７は第１現像処理部１６と同様の処理を行なう。なお、図１に示す本実施の形態において、撮像装置１００は第１現像処理部１６、第２現像処理部１７の２つの現像処理部を備えているが、現像処理部の数は２つに限定されるものではなく必要なストリームの数だけ設けてもよい。
【００２２】
記録再生処理部１８は、所定の処理が施された静止画データ、動画データについて、例えば記録用や通信用の符号化処理および復号化処理を行う。処理が施された静止画データ、動画データは記憶部１９に保存され、また、表示部２０において表示される。
【００２３】
記憶部１９は、例えば、ハードディスク、ＳＤメモリカードなどの大容量記憶媒体である。画像は例えばＪＰＥＧ（Joint Photographic Experts Group）などの規格に基づいて圧縮された状態で保存される。また、保存された画像に関する情報、撮像日時などの付加情報を含むＥＸＩＦ（Exchangeable Image File Format）データもその画像に対応付けられて保存される。動画は、例えば、ＭＰＥＧ２（Moving Picture Experts Group2）、ＭＰＥＧ４などの形式で保存される。
【００２４】
表示部２０は、例えば、ＬＣＤ（Liquid Crystal Display）、ＰＤＰ(Plasma Display Panel)、有機ＥＬ(Electro Luminescence)パネルなどにより構成された表示デバイスである。表示部２０には、撮像装置１００のユーザインターフェース、メニュー画面、撮像中のモニタリング画像、記憶部１９に記録された撮影済み画像、撮影済み動画などが表示される。
【００２５】
第１入力部２１、第２入力部２２および第３入力部２３は、本技術に係る静止画撮影モードおよび動画撮影モードの切り替え、動画撮影のフレームレートの切り替え、撮影指示、連写撮影指示などを入力するためのものである。第１入力部２１、第２入力部２２および第３入力部２３に対して入力がなされると、その入力に応じた制御信号が生成されて制御部１１に出力される。そして、制御部１１はその制御信号に対応した演算処理や撮像装置１００の制御を行う。第１入力部２１、第２入力部２２および第３入力部２３の詳細な構成については後述する。
【００２６】
その他、撮像装置１００は例えば電源オン／オフ切り替えのための電源ボタン、ズーム調整用の操作子など撮像装置１００による撮影のための種々の入力装置を備えている。
【００２７】
［１−２．撮像装置の外観構成］
次に図２乃至図４を参照して第１の実施の形態に係る撮像装置１００の外観構成について説明する。撮像装置１００は、扁平な横長の略直方体状に構成されている。
【００２８】
撮像装置１００の筐体１１０の前面には撮影レンズ１２０が設けられている。ユーザはこの撮影レンズ１２０を被写体の方向に向けて撮影を行う。
【００２９】
撮像装置１００の背面にはモニター１３０が設けられている。モニター１３０は、図１のブロック図における表示部２０に相当し、ＬＣＤ、ＰＤＰ、有機ＥＬパネルなどからなる表示手段である。モニター１３０には、スルー画、撮影により得られた静止画および動画、ユーザインターフェースなどが表示される。モニター１３０は、タッチパネルと一体的に構成されたタッチスクリーンとして構成されていてもよい。モニター１３０がタッチスクリーンである場合、ユーザが指を接触させることにより撮像装置１００に各種入力を行うことができる。
【００３０】
撮像装置１００の上面にはシャッタボタン１４０が設けられている。ユーザはこのシャッタボタン１４０を押下することによりオートフォーカスによるピント合わせ、静止画の撮影指示、動画の撮影指示を行なうことができる。なお、以下に説明するように、入力装置１５０はシャッタボタンとしての機能を備えているため、撮像装置１００はシャッタボタン１４０を備えていなくてもよい。
【００３１】
撮像装置１００の上面には入力装置１５０が設けられている。第１の実施の形態において入力装置１５０はダイヤル状に構成されている。入力装置１５０は、上面視において側面が連続する凹凸面として構成されており、図３Ａに示すように上面視における中心を回転軸としてＬ方向、Ｒ方向に回転可能に構成されている。また、入力装置１５０は上面に静止画撮影モードを示す「静」という文字、動画撮影のフレームレートを示す７つの数値が印字されている。この「静」およびフレームレートを示す数値は入力装置１５０の上面に印刷することで設けてもよいし、入力装置１５０の上面をディスプレイとして構成し、そのディスプレイに映像として表示させるようにしてもよい。
【００３２】
撮像装置１００の上面には現在の撮影モードまたはフレームレートを示す目印となる矢印アイコン１６０が設けられている。ユーザは入力装置１５０を回転させて、所望の撮影モードまたはフレームレートの文字を矢印アイコン１６０が示す位置に合わせることに撮影モードまたはフレームレートの選択を行なうことができる。「静」の文字が選択された場合、撮像装置１００は静止画撮影モードで動作する。また、フレームレートを示す数値が選択された場合、撮像装置１００は動画撮影モードとなり、選択されたフレームレートで動画の撮影を行なう。このダイヤル状である入力装置１５０をＬ方向、Ｒ方向に回転させる入力は第１入力部２１に相当するものである。なお、矢印アイコン１６０は矢印以外の形状であってもよい。
【００３３】
本実施の形態においては、動画撮影のフレームレートは、１ｆｐｓ（Frames Per Second）、２０ｆｐｓ、３０ｆｐｓ、６０ｆｐｓ、２４０ｆｐｓ、４８０ｆｐｓ、９６０ｆｐｓとなっている。平面視において入力装置１５０をＬ方向に回転させるとフレームレートが高くなり（スローモーションとなる）、Ｒ方向に回転させるとフレームレートが低くなる（早送りとなる）。なお、フレームレートの値はあくまで一例であり、これらに限られるものではない。
【００３４】
また、本実施の形態においては、静止画撮影モードを示す「静」が２つ、それぞれ、６０ｆｐｓの隣と、１ｆｐｓの隣に配置されている。これにより、「静」が１つの場合に比べてどのフレームレートからも「静」までの移動距離が短くなり、動画撮影モードから静止画撮影モードに遷移させやすくすることができる。
【００３５】
一般的に６０ｆｐｓは、滑らかな映像が再現できるとされている通常の動画の撮影に用いられるフレームレートである。よって、６０ｆｐｓの隣に「静」を配置することにより、使用頻度の高い６０ｆｐｓの動画撮影と静止画撮影との切り替えを迅速容易に行なうことが可能となる。
【００３６】
ただし、図３Ｂに示すように、静止画撮影モードを示す「静」の数は１つであってもよい。「静」を１つにする場合には例えば、最小のフレームレートである１ｆｐｓの隣に配置するのが好ましい。このように配置することにより、フレームレートを最小の値から最大の値まで、間に静止画撮影を挟むことなくシームレスに連続的に切り替えることができる。なお、「静」の数は１つまたは２つに限られるものではなく、３つ以上でもよい。
【００３７】
なお、６０ｆｐｓおよび静止画撮影モードを示す「静」の位置から隣のフレームレートへの回転移動においては入力装置１５０を回りにくくしてもよい。これにより、使用頻度の高いであろう６０ｆｐｓの動画撮影と静止画撮影から誤って意図せずに入力装置１５０を回転させてしまい、他のフレームレートに切り替わってしまう誤作動を防止することができる。これは、例えば、入力装置１５０の回転機構に引っ掛かり用の爪などを設けることにより実現することができる。
【００３８】
また、入力装置１５０はユーザが押すことにより図３Ａ中の矢印Ｙ方向にスライド可能に構成されている。ユーザが指を離して入力装置１５０をＹ方向へスライドさせる力が解除すると入力装置１５０は初期位置に戻るように構成されている。これにより、入力装置１５０は一体的な構成としてダイヤルとしての他、ボタンとしても機能する。
【００３９】
入力装置１５０のＹ方向へのスライドは、半押し、深押しの２段階の入力を行なうことができるように構成されている。これは、一般的な撮像装置が備えるレリーズボタンの半押し、深押しと同様のものである。半押し、深押しを有する入力装置１５０のＹ方向へのスライド動作は第２入力部２２に相当するものである。
【００４０】
本実施の形態においては、第２入力部２２の半押しはピント合わせの指示を入力することができるものである。また、第２入力部２２の深押しは、画像の取得（静止画撮影）および動画の取得（動画撮影）の指示を入力することができるものである。
【００４１】
また、入力装置１５０は、図３Ｃに示すようにユーザが押すことによりＺ方向に押下可能に構成されている。ユーザが指を離して入力装置１５０をＺ方向へ押下させる力を解除すると、入力装置１５０は初期位置に戻るように構成されている。このＺ方向への操作は第３入力部２３に相当するものである。第３入力部２３への入力は、画像の取得（静止画撮影）の指示を入力することができるものである。これにより、入力装置は一体的な構成として、第１入力部２１としてのダイヤル、第２入力部２２としてのＹ方向へのボタンに加え、第３入力部２３としてＺ方向へのボタンとしても機能する。
【００４２】
入力装置１５０における第１入力部２１は、平面視におけるＬ方向およびＲ方向への回転であり、第２入力部２２はＹ方向へのボタンである。さらに、第３入力部２３はＺ方向へのボタンであるため、全ての入力操作は異なる方向に向けて行われる。ユーザは第１入力部２１への入力、第２入力部２２への入力、第３入力部２３への入力、いずれの入力も１つの指（例えば、親指）で行なうことができる。これにより、第１入力部２１への入力で撮影モードおよび動画撮影のフレームレートを選択し、第２入力部２２または第３入力部２３で撮影指示を行なうまでの一連の流れを入力装置１５０から指を離すことなく、撮像装置１００を持ち替えることもなくスムーズに行なうことができる。
【００４３】
なお、入力装置１５０の位置は撮像装置１００の上面に限られない。図４に示すように、撮像装置１００の背面に入力装置１５０を設けてもよい。
【００４４】
撮像装置１００の背面に入力装置１５０を設ける場合、図４Ｂに示すように、現在の撮影モードまたはフレームレートを示す目印となる矢印アイコン１６０も背面に設けられる。入力装置１５０は中心を回転軸としてＬ方向、Ｒ方向に回転可能に構成され、所望の撮影モードおよび動画撮影のフレームレートを矢印アイコン１６０が示す位置に合わせることに撮影モードまたはフレームレートの選択を行なうことができる。
【００４５】
撮像装置１００の背面に入力装置１５０を設ける場合、入力装置１５０はユーザが押すことにより図４Ｃ中の矢印Ｚ方向（奥行き方向：筐体側方向）に押下可能に構成されている。ユーザが指を離して入力装置１５０をＺ方向へ押下させる力を解除すると入力装置１５０は初期位置に戻るように構成されている。これにより、入力装置１５０は一体的な構成としてダイヤルとしての他、ボタンとしても機能する。
【００４６】
入力装置１５０のＺ方向への押下は、半押し、深押しの２段階の入力を行なうことができるように構成されている。これは、一般的な撮像装置が備えるレリーズボタンの半押し、深押しと同様のものである。半押し、深押しを有する入力装置１５０のＺ方向への押下は第２入力部２２に相当するものである。
【００４７】
本実施の形態においては、第２入力部２２の半押しはピント合わせの指示を入力することができるものであり、また、第２入力部２２の深押しは、画像の取得（静止画撮影）および動画の取得（動画撮影）の指示を入力することができるものである。
【００４８】
また入力装置１５０は、図４Ｂに示すように、矢印＋Ｙ方向にスライド可能にしてもよい。ユーザが指を離して入力装置１５０を＋Ｙ方向へスライドさせる力を解除すると、入力装置１５０は初期位置に戻るように構成されている。この＋Ｙ方向への操作は第３入力部２３に相当するものである。第３入力部２３への入力は、画像の取得（静止画撮影）の指示を入力することができるものである。
【００４９】
これにより、入力装置１５０は一体的な構成として第１入力部２１としてのダイヤル、第２入力部２２としてのＺ方向へのボタンに加え、第３入力部２３として＋Ｙ方向へのボタンとしても機能する。それら全ての入力は全ての入力操作は異なる方向に向けて行われる。なお、第３入力部２３は、図４Ｂに示す−Ｙ方向へのボタンであってもよい。
【００５０】
また、図４Ｄに示すように、入力装置１５０の背面視略中央は入力装置１５０とは別体構成とすることによりＺ方向への押下が可能なボタン状の別体入力装置１７０を設けてもよい。別体入力装置１７０は、ユーザが指を離して別体入力装置１７０をＺ方向へ押下させる力を解除すると初期位置に戻るように構成されている。この別体入力装置１７０への入力は第３入力部２３に相当する。このように別体入力装置１７０を設けることによっても、撮像装置１００は入力装置１５０の第１入力部２１としてのダイヤル、第２入力部２２としてのＺ方向へのボタンに加え、第３入力部２３としてＺ方向へのボタンを備えることになる。
【００５１】
第１入力部２１は、背面視におけるＬ方向Ｒ方向への回転であり、第２入力部２２はＺ方向に向けた押下であり、第３入力部２３はＹ方向へのスライド、または別体入力装置１７０の押下であるため、ユーザは第１入力部２１への入力、第２入力部２２および第３入力部２３への入力の両方を１つの指（例えば、親指）で行なうことができる。これにより、第１入力部２１への入力で撮影モードまたは動画のフレームレートを選択し、第２入力部２２または第３入力部２３で撮影指示を行なうまでの一連の流れを入力装置から指を離すことなく、撮像装置１００を持ち替えることもなくスムーズに行なうことができる。
【００５２】
［１−３．撮像装置の状態遷移］
次に図５および図６を参照して撮像装置１００の状態遷移について説明する。撮像装置１００の状態遷移制御は制御部１１によって行われる。なお、図５において状態遷移図ともに表されているモニター１３０は、静止画撮影待機状態および動画撮影待機状態におけるモニター１３０の表示態様を示すものである。
【００５３】
静止画撮影待機状態とは、撮像装置１００が静止画撮影モードであり、表示部２０であるモニター１３０にモニタリング画像（スルー画）を表示させ、第２入力部２２に深押しを行なうことにより静止画の撮影を行なうことができる状態である。また、動画撮影待機状態とは、撮像装置１００が動画撮影モードであり、表示部２０であるモニター１３０にモニタリング画像（スルー画）を表示させ、第２入力部２２に深押しを行なうことにより動画の撮影を行なうことができる状態である。
【００５４】
図５における線は、実線が第１入力部２１への入力、２本線が第２入力部２２への半押し、破線が第２入力部２２への深押し、一点鎖線が第３入力部２３への入力となっている。
【００５５】
まず、撮像装置１００が静止画撮影モードであり、静止画撮影待機状態である場合に第２入力部２２に半押し入力がなされるとピント合わせが行なわれる（矢印（１））。
【００５６】
ピント合わせが行われた後、または行なわれる前どちらにおいても静止画撮影待機状態において、第２入力部２２に深押し入力がなされると静止画の取得が行われる（矢印（２））。さらに、第２入力部２２への深押し入力による静止画取得の際に深押しが継続されると、深押しが継続されている間静止画の連写撮影が行われる（矢印（３））。第２入力部２２への深押しが解除されると、撮像装置１００は静止画撮影待機状態となる（矢印（４））。
【００５７】
撮像装置１００が静止画撮影モードである場合に第１入力部２１に動画撮影のフレームレートを選択する入力がなされると撮像装置１００は動画撮影モードに遷移し、動画撮影待機状態となる（矢印（５））。
【００５８】
また、動画撮影モードである場合に第１入力部２１に静止画撮影を選択する入力がなされると撮像装置１００は静止画撮影モードに遷移し、静止画撮影待機状態となる（矢印（６））。静止画撮影モードから動画撮影モードに遷移する際、図５中のモニター１３０に示すように、モニター１３０におけるモニタリング画像の表示を例えば横４：縦３の比率から横１６：縦９の比率に切り替える。また、動画撮影モードから静止画撮影モードに遷移する際にはモニター１３０におけるモニタリング画像の表示を横１６：縦９の比率から横４：縦３の比率に切り替える。これにより、ユーザは撮影モードが切り替わったことを目視により容易に認識することができる。なお、横４：縦３、横１６：縦９という比率はあくまで一例であり、他の比率であってもよい。
【００５９】
動画撮影待機状態において、第２入力部２２に半押し入力がなされるとピント合わせが行われる（矢印（７））。また、動画撮影待機状態において、第１入力部２１に対しフレームレート切り替え入力がなされると、動画撮影のフレームレートが指定された値に切り替えられる（矢印（８））。
【００６０】
動画撮影待機状態においてピント合わせが行われた後、または行われる前どちらにおいても動画撮影待機状態において第２入力部２２に深押し入力がなされると動画の撮影が開始される（矢印（１０））。そして、動画撮影中において第２入力部２２への深押し入力がなされると撮像装置１００は動画撮影を停止し、動画撮影待機状態に遷移する（矢印（１１））。
【００６１】
動画撮影中に第２入力部２２への半押し入力がなされると、ピント合わせが行われる（矢印（１２））。また、動画撮影中に第１入力部２１に対してフレームレート切り替えの入力がなされると、動画撮影のフレームレートが指定された値に切り替えられる（矢印（１３））。
【００６２】
動画撮影待機状態において第３入力部２３に入力がなされると、静止画の取得が行われる（矢印（１４））。静止画の撮影が完了すると、撮像装置１００を動画撮影待機状態に戻る（矢印（１５））。このように第３入力部２３を用いることにより動画撮影待機状態においても静止画撮影を行なうことができる。なお、第３入力部２３への入力により静止画撮影を行った場合において第３入力部２３への入力を継続すると、深押しが継続されている間静止画の連写撮影が行われる（矢印（１６））。
【００６３】
また、動画撮影中に第３入力部２３に入力がなされると、静止画の取得が行われる（矢印（１７））。静止画の撮影が完了すると、撮像装置１００は動画撮影状態に戻り（矢印（１８））、動画の撮影を再開する。このように第３入力部２３を用いることにより動画撮影中においても静止画撮影を行なうことができる。なお、第３入力部２３への入力により静止画撮影を行った場合において第３入力部２３への入力が継続されると、深押しが継続されている間静止画の連写撮影が行われる（矢印（１６））。
【００６４】
このようにして撮像装置１００における状態の遷移が行われる。
【００６５】
上述の撮像装置１００の状態遷移は静止画撮影モードと動画撮影モードとにおいて静止画撮影待機状態と動画撮影待機状態とが区別され、モニター１３０におけるモニタリング画像の表示も異なるものになる例である。ただし、静止画撮影モードと動画撮影モードとにおいて静止画撮影待機状態と動画撮影待機状態とを区別しないようにしてもよい。
【００６６】
次に図６を参照して、静止画撮影待機状態と動画撮影待機状態とを区別しない場合の撮像装置１００の状態遷移について説明する。静止画撮影待機状態と動画撮影待機状態とを区別しないとは、静止画撮影待機状態と動画撮影待機状態とにおいて、モニター１３０における表示に変化がないことである。
【００６７】
まず、撮像装置１００が静止画撮影待機状態であり、かつ動画撮影待機状態（以下、静止画／動画撮影待機状態と称する。）である場合、第２入力部２２に半押し入力がなされるとピント合わせが行われる（矢印（２１））。また、第１入力部２１にフレームレートを切り替える入力がなされると動画撮影のフレームレートが切り替えられる（矢印（２２））。なお、撮像装置１００が静止画撮影モードであっても動画撮影モードであってもモニター１３０における表示に変化はない。
【００６８】
また、ピント合わせが行われた後、行なわれる前どちらにおいても、静止画撮影モードにおいて第２入力部２２に深押し入力がなされると静止画の取得が行われる（矢印（２３））。さらに、第２入力部２２への深押し入力による静止画取得の際に深押しが継続されると、深押しが継続されている間静止画の連写撮影が行われる（矢印（２４））。ユーザが第２入力部２２への深押しを解除すると、撮像装置１００は静止画／動画撮影待機状態に遷移する（矢印（２５））。
【００６９】
一方、動画撮影モードにおいて、第２入力部２２に深押し入力がなされると動画の撮影が開始される（矢印（２６））。そして、動画撮影中において第２入力部２２への深押し入力がなされると撮像装置１００は動画撮影を停止し、静止画／動画撮影待機状態に遷移する（矢印（２７））。
【００７０】
動画撮影中に第２入力部２２への半押し入力がなされると、ピント合わせが行われる（矢印（２８））。また、動画撮影中に第１入力部２１に対してフレームレート切り替えの入力がなされると、動画撮影のフレームレートが指定された値に切り替えられる（矢印（２９））。
【００７１】
動画撮影中において第３入力部２３に入力がなされると、動画撮影中であっても静止画の取得が行われる（矢印（３０））。そして、静止画の撮影が完了すると撮像装置１００は動画撮影に戻る（矢印（３１））。このように第３入力部２３を用いることにより動画撮影中においても静止画撮影を行なうことができる。なお、第３入力部２３への入力により静止画撮影を行った場合に第３入力部２３への入力が継続されると、深押しが継続されている間静止画の連写撮影が行われる（矢印（３２））。
【００７２】
なお、図６に示すモニター１３０のように、動画撮影待機状態および動画撮影中においてモニター１３０に動画撮影の撮影範囲を示す枠１３５を表示するようにしてもよい。
【００７３】
以上のようにして、静止画撮影モードと動画撮影モードの待機状態に区別がない場合の撮像装置１００における状態の遷移が行われる。
【００７４】
なお、動画撮影中において第１入力部２１への静止画撮影モードに切り替える入力がなされた場合動画撮影を終了してもよいし、その入力は無効とし、静止画撮影モードへの遷移は行わないようにしてもよい。
【００７５】
［１−４．撮像装置における処理］
次にユーザからの入力に対して制御部１１により行われる制御処理について説明する。図７は制御処理の流れを示すフローチャートである。
【００７６】
まずステップＳ１で、撮像装置１００の電源がオンにされる。これは例えば、ユーザからの電源ボタンへの入力に応じて行われる。次にステップＳ２で、第１入力部２１への入力で静止画撮影モードが選択されたか否かが判定される。静止画撮影モードが選択された場合処理はステップＳ３に進む（ステップＳ２のＹｅｓ）。
【００７７】
次にステップＳ３で撮像装置１００は静止画撮影モードとなり、ユーザからの入力に応じて静止画撮影処理が行われる。この静止画撮影処理においては、第２入力部２２に対して半押しがなされた場合にはピント合わせが行われ、深押しがなされた場合には撮影による画像の取得が行われる。また、所定時間、第２入力部２２への深押しが継続された場合には連写撮影が行われる。
【００７８】
次にステップＳ４で撮影が終了したか否かが判定される。例えば、所定の時間第１入力部２１または第２入力部２２に対して入力がない場合には撮影が終了したと判定することができる。撮影が終了した場合処理は終了となる（ステップＳ４のＹｅｓ）。
【００７９】
なお、撮影が終了した場合、撮像装置１００が動画撮影モードである場合には自動的に矢印アイコン１６０が指し示す位置に第１入力部２１の「静」が一致するように入力装置１５０を回転させて静止画撮影モードに遷移させてもよい。また、第１入力部２１の撮影モードおよびフレームレートが入力装置１５０の上面に設けられたモニターに表示されているものである場合には、制御部１１の処理により撮影モードを静止画撮影モードに遷移させ、入力装置１５０を回転させることなく表示を変化させることにより、第１入力部２１の「静」の位置が矢印アイコン１６０の位置に一致するようにしてもよい。なお、入力装置１５０の状態は撮影終了時のままであってもよい。
【００８０】
説明はステップＳ２に戻る。ステップＳ２で静止画撮影モードが選択されたと判定されなかった場合、処理はステップＳ５に進む（ステップＳ２のＮｏ）。そしてステップＳ５で、フレームレートが６０ｆｐｓである動画撮影モードが選択されたか否かが判定される。なお、ここでフレームレートを６０ｆｐｓとしたのは、一般的に６０ｆｐｓは滑らかな映像が再現できるとされている通常の動画の撮影に用いられるフレームレートだからである。よって、この処理は特定のフレームレートであればよく、６０ｆｐｓに限定されるものではない。
【００８１】
ステップＳ５でフレームレートとして６０ｆｐｓが選択されたと判定された場合、処理はステップＳ６に進む（ステップＳ５のＹｅｓ）。次にステップＳ６で、撮像装置１００は動画撮影モードとなり、動画撮影処理が行われる。この動画撮影処理においては、第２入力部２２に対して半押しがなされた場合にはピント合わせが行われ、深押しがなされた場合には動画撮影が開始される。また、動画撮影中に第２入力部２２に深押しがなされた場合には動画撮影を終了する。また、動画撮影中に第２入力部２２に対して半押しがなされた場合にもピント合わせが行われる。さらに、第３入力部２３に入力がなされた場合には、動画撮影中であっても静止画撮影が行われる。
【００８２】
次にステップＳ７で、第１入力部２１に対してフレームレートを切り替える入力がなされたか否かが判定される。フレームレートを切り替えない場合、すなわち第１入力部２１に対して入力が行われない場合、処理はステップＳ４に進む（ステップＳ７のＮｏ）。そしてステップＳ４で撮影が終了したか否かが判定され、撮影が終了した場合には処理は終了となる（ステップＳ４のＹｅｓ）。
【００８３】
一方、ステップＳ７でフレームレートを切り替える入力がなされたと判定された場合、処理はステップＳ８に進む（ステップＳ７のＮｏ）。また、ステップＳ５でフレームレートが６０ｆｐｓである動画撮影モードが選択されていない、すなわち他のフレームレートが選択された場合にも処理はステップＳ８に進む（ステップＳ５のＮｏ）。
【００８４】
処理がステップＳ８に至ったということは６０ｆｐｓ以外のフレームレートが選択されたということである。よってステップＳ８で、その選択された６０ｆｐｓ以外のフレームレートで動画撮影処理が行われる。動画撮影処理は上述したステップＳ６と同様である。
【００８５】
そしてステップＳ８で、第１入力部２１に対してフレームレートを切り替える入力がなされたか否かが判定される。フレームレートを切り替えない場合、すなわち第１入力部２１に対して入力が行われない場合、処理はステップＳ４に進む（ステップＳ８のＮｏ）。そして、ステップＳ４で撮影が終了したか否かが判定され、撮影が終了した場合には処理は終了となる（ステップＳ７のＹｅｓ）。
【００８６】
ステップＳ４で撮影が終了してはいないと判定された場合、例えば、所定の時間以内に第１入力部２１または第２入力部２２に対して入力があった場合、撮影が継続しているとして処理はステップＳ２に進む（ステップＳ４のＮｏ）。
【００８７】
以上のようにしてユーザからの入力に応じた制御処理が行われる。
【００８８】
このように第１の実施の形態によれば、撮影モードおよび動画撮影のフレームレートをシームレスで連続的な入力で容易に切り替えることができるとともに、撮影モードおよび動画撮影のフレームレートの切り替えから静止画取得、動画取得までの一連の撮影操作を容易に行なうことができる。
【００８９】
＜２．第２の実施の形態＞
［２−１．撮像装置の外観構成］
次に図８を参照して第２の実施の形態に係る撮像装置２００の外観構成について説明する。なお、撮像装置２００の内部構成は第１の実施の形態と同様であるため、その説明を省略する。
【００９０】
撮像装置２００は、扁平な横長の略直方体状に形成されている。筐体１１０、撮影レンズ１２０、モニター１３０、シャッタボタン１４０、その他、電源オン／オフ切り替えのための電源ボタン、ズーム調整用の操作子などの種々の入力装置の構成は第１の実施の形態と同様である。
【００９１】
第２の実施の形態においては撮像装置２００の背面に入力装置２１０が設けられている。入力装置２１０は、筐体１１０の背面の下部においてスライダとして構成されている。入力装置２１０は筐体１１０の水平方向と同方向に伸びたガイド部２２０と、操作片２３０とから構成されている。
【００９２】
ガイド部２２０は筐体１１０の水平方向と同方向に伸びた直線状の溝として構成されている。操作片２３０はガイド部２２０の溝内に入り込み、撮像装置２００内部において機械的に接続された棒体（図示せず）と、棒体の先端に設けられたボタンとから構成されている。ユーザは操作片２３０をガイド部２２０に沿ってＬ方向Ｒ方向にスライドさせることができる。入力装置２１０は、操作片２３０の水平方向の位置を制御部１１に出力し、制御部１１はその位置に応じた制御を行なう。この操作片２３０のスライド操作は第１入力部２１に相当するものである。
【００９３】
本実施の形態においては、図８Ｂに示すように操作片２３０の位置に対応するように静止画撮影モード、動画撮影のフレームレートが割り当てられており、撮像装置２００の筐体１１０に静止画撮影モードを示す「静」、動画撮影のフレームレートを示す値が筐体１１０に印字されている。ユーザは操作片２３０をＬ方向Ｒ方向にスライドさせて、所望する撮影モード、フレームレートの位置にその操作片２３０を位置させることにより、撮像装置２００の撮影モード、フレームレートを切り替えることができる。
【００９４】
また、操作片２３０は図８Ｃに示すように、Ｚ方向（筐体方向）に押下することができるボタンとして構成されている。ユーザが操作片２３０をＺ方向へ押下させる力が解除すると操作片２３０は初期位置に戻るように構成されている。これにより、入力装置２１０は一体的な構成としてスライダとしての他、ボタンとしても機能する。
【００９５】
操作片２３０のＺ方向への押下は、半押し、深押しの２段階の入力を行なうことができるように構成されている。これは、一般的な撮像装置が備えるレリーズボタンの半押し、深押しと同様のものである。半押し、深押しを有する操作片２３０のＺ方向への押下は第２入力部２２に相当するものである。
【００９６】
本実施の形態においては、第２入力部２２の半押しはピント合わせの指示を入力することができるものであり、また、第２入力部２２の深押しは、画像の取得（静止画撮影）および動画の取得（動画撮影）の指示を入力することができるものである。
【００９７】
また、入力装置２１０の操作片２３０はユーザが押すことにより図８Ｂ中の矢印Ｙ方向（下方向）に押下可能に構成されている。ユーザが指を離してＹ方向へ押下させる力を解除すると操作片２３０は初期位置に戻るように構成されている。このＹ方向への押下は第３入力部２３に相当するものである。これにより、入力装置は一体的な構成として第１入力部２１としてのスライダ、第２入力部２２としてのＺ方向へのボタンに加え、第３入力部２３としてのＹ方向へのボタンとしても機能する。また、すべての入力が異なる方向に向けて行われる。
【００９８】
第１入力部２１をスライド動作とし、第２入力部２２をＺ方向への操作片２３０の押下とし、第３入力部２３をＹ方向への操作片２３０の押下とすることにより、ユーザは全ての入力を一つの指（例えば、親指または人差し指）で行なうことができる。これにより、第１入力部２１への連続的な入力でシームレスに撮影モードおよび動画のフレームレートを切り替えることができる。さらに、撮影モードおよび動画のフレームレートを切り替えから第２入力部２２または第３入力部２３で撮影指示を行なうまでの一連の流れを入力装置２１０から指を離すことなく、また撮像装置２００を持ち替えることもなくスムーズに行なうことができる。
【００９９】
なお、入力装置２１０の位置は筐体１１０の背面の下部に限られず、背面の上部でもよいし、縦方向に延びるように構成してもよいし、筐体１１０の側面、上面などに設けてもよい。
【０１００】
また、入力装置２１０は直線状に限られず、図８Ｄに示すように略Ｌ字型であってもよい。入力装置２１０を略Ｌ字型に構成する場合、例えば、Ｌ字の角に静止画撮影モードを示す「静」を配置し、鉛直方向に延びる側の頂点にフレームレートの最高値を配置し、水平方向に延びる側の端にフレームレートの最低値を配置するようにするとよい。これにより、直感的に撮影モードおよび動画撮影のフレームレートを切り替えることができる。
【０１０１】
また、入力装置２１０はガイド部２２０と操作片２３０からなる機械的なスライダ構造に限られず、タッチパネルで構成してもよい。ユーザがタッチパネルに指を接触させることにより撮像装置２００に各種入力を行うことができる。
【０１０２】
タッチパネルは、操作面になされた操作のそれぞれを検出し、その接触位置を示す座標データを出力することができる。また、タッチパネルは、操作面に対してなされた操作のそれぞれを検出し、その操作の種類を示すデータを出力することもできる。また、タッチパネルは操作面への接触時間も出力することができる。
【０１０３】
これにより、タッチパネルはいわゆるタップ入力、ダブルタップ入力を検出することができる。タップ入力とは、ユーザの指などを操作面上に短時間１回だけ接触させる入力動作である。ダブルタップ入力とは、指などを操作面上に短い間隔で連続して２回接触させる入力動作である。
【０１０４】
例えば、タップ入力でタッチパネルのいずれかの位置に指などを接触させることにより撮影モードおよび動画撮影のフレームレートを指定することができる。これが第１入力部２１に相当するものである。なお、指をタッチパネル上でスライドさせることによりシームレスに動画撮影のフレームレートを切り替えることも可能となる。
【０１０５】
また、タッチパネルへの指などの接触時間の長さに応じて２段階の入力を行なうことができる。これは、一般的な撮像装置における半押しと深押しに相当するものであり、第２入力部２２に相当するものである。
【０１０６】
また、タッチパネルは感圧式タッチパネルを採用し、ユーザの指などによるタッチパネルへの押圧力に基づいて２段階入力を可能にしてもよい。
【０１０７】
このように入力装置２１０をタッチパネルで構成しても、撮影モードまたは動画のフレームレートの選択から撮影指示を行なうまでの一連の流れを入力装置２１０から指を離すことなく、撮像装置２００を持ち替えることもなくスムーズに行なうことができる。
【０１０８】
第２の実施の形態に係る入力装置２１０は以上のようにして構成されている。なお、撮像装置２００の状態遷移および入力装置２１０へのユーザからの入力に対する制御処理は第１の実施の形態と同様である。
【０１０９】
第２の実施の形態によれば、撮影モードおよび動画撮影のフレームレートをシームレスで連続的な入力で容易に切り替えることができるとともに、撮影モードおよび動画撮影のフレームレートの切り替えから静止画取得、動画取得までの一連の撮影操作を容易に行なうことができる。
【０１１０】
なお、第３入力部２３は、図２Ｄを参照して第１の実施の形態において説明したように入力装置２１０とは別体として構成し、入力装置２１０とは別の位置に設けるようにしてもよい。
【０１１１】
＜３．第３の実施の形態＞
［３−１．撮像装置の外観構成］
次に図９を参照して第３の実施の形態に係る撮像装置３００の外観構成について説明する。なお、撮像装置３００の内部構成は第１の実施の形態と同様であるため、その説明を省略する。
【０１１２】
第３の実施の形態において、撮像装置３００は、扁平な横長の略直方体状のスマートフォンとして構成されている。
【０１１３】
撮像装置３００の筐体３０１の背面には撮影レンズ３０２が設けられている。ユーザはこの撮影レンズ３０２を被写体の方向に向けて撮影を行う。
【０１１４】
撮像装置３００の正面にはディスプレイ３０３が設けられている。ディスプレイ３０３は、図１のブロック図における表示部２０に相当し、ＬＣＤ、ＰＤＰ、有機ＥＬパネルなどからなる表示手段である。ディスプレイ３０３には、スルー画、撮像により得られた画像、ユーザインターフェース画像などが表示される。ディスプレイ３０３は、タッチパネルと一体的に構成されたタッチスクリーンとして構成されている。これにより、ユーザがディスプレイ３０３に指を接触させることにより撮像装置３００に各種入力を行うことができる。入力方法としては上述したタップ入力、ダブルタップ入力に加え、ドラッグ操作、フリック操作も行なうことができる。
【０１１５】
ドラッグ操作とは、ユーザの指などを操作面上に接触させたまま移動させる入力動作である。フリック操作とは、ユーザの指など操作面上の１点を指示してから、そのまま任意の方向に素早くはじくようにする入力動作である。
【０１１６】
撮像装置３００の正面にはホームボタン３０４が設けられている。ホームボタン３０４は撮像装置３００のスリープ状態からの起動、ホーム画面への遷移、その他各種操作を行なうためのものである。ホームボタン３０４はハードウェアボタンで構成されてもよいし、ディスプレイ３０３に表示されるソフトウェアボタンで構成されてもよいし、タッチパネルで構成されてもよい。
【０１１７】
また、撮像装置３００の一方の側面には電源ボタン３０５が設けられている。さらに撮像装置３００の他方の側面には音量調整のための音量調節ボタン３０６が設けられている。
【０１１８】
図９Ｂに示すように、ディスプレイ３０３にはダイヤル状の操作アイコン３１０が表示されている。操作アイコン３１０は、等間隔で区切られ、各領域に静止画撮影を示す「静」、動画撮影のフレームレートが割り当てられている。操作アイコン３１０は、撮影モード切り替えおよび動画撮影のフレームレート切り替えを指示するためのものである。また、ディスプレイ３０３には、現在の撮影モードまたは動画撮影のフレームレートを示すための矢印アイコン３１１が表示されている。操作アイコン３１０および矢印アイコン３１１は９Ｂに示すように、モニタリング画像上に重畳して表示してもよいし、ユーザからの入力に応じて、モニタリング画像から切り替えて表示するようにしてもよい。
【０１１９】
操作アイコン３１０は図９Ｂに示すようにユーザからのドラッグ操作またはフリック操作に応じてＬ方向またはＲ方向に回転して表示が変化するように構成されている。ユーザは所望する撮影モードまたはフレームレートを矢印アイコン３１１が指し示す位置に合わせることにより、撮影モードおよび動画撮影のフレームレートを切り替えることができる。これにより、ユーザは連続的な入力でシームレスに撮影モードおよび動画撮影のフレームレートを切り替えることができる。この操作アイコン３１０への入力は第１入力部２１に相当するものである。
【０１２０】
また、ディスプレイ３０３の操作アイコン３１０以外の領域（以下、アイコン外領域３１２と称する。）の全域への入力が第２入力部２２として機能する。アイコン外領域３１２に対して、ユーザが指などでタップ入力、ダブルタップ入力を行なうことにより、半押し、深押しに相当する２段階の入力を行なうことができる。これにより、ディスプレイ３０３のタッチスクリーンは一体的な構成として操作アイコン３１０としての他、ボタンとしても機能する。また、各々の入力操作は異なる方向に向けて行われる。
【０１２１】
なお、第２入力部２２はアイコン外領域３１２全域とせずに、図９Ｃに示すように、アイコン外領域３１２内のどこかの位置にソフトウェアボタン３１３を設け、そのソフトウェアボタン３１３に対して２段階入力を行なえるようにしてもよい。
【０１２２】
また、タップ入力、ダブルタップ入力以外にも、アイコン外領域３１２への指などの接触時間、接触面積、接触の圧力などによって２段階入力を行えるようにしてもよい。
【０１２３】
また、ホームボタン３０４、電源ボタン３０５、音量調節ボタン３０６などのハードウェアボタンまたは、ディスプレイ３０３のアイコン外領域３１２のいずれかの位置に第３入力部２３としての機能が割り当てられている。これにより、撮像装置３００は第１入力部２１としての操作アイコン３１０、第２入力部２２としてのアイコン外領域３１２への入力、第３入力部２３としてのハードウェアボタンまたはアイコン外領域３１２への入力を有する。
【０１２４】
さらに、操作アイコン３１０をホームボタン３０４側に配置し、ホームボタン３０４に第２入力部２２または第３入力部２３の機能を割り当てるようにして、全ての操作が狭い範囲内で可能となるようにして操作性の向上を図ってもよい。
【０１２５】
以上のような構成により、ユーザは全ての入力を一つの指で行なうことができる。これにより、第１入力部２１への連続的な入力でシームレスに撮影モードおよび動画のフレームレートを切り替えることができる。さらに、撮影モードおよび動画のフレームレートを切り替えから第２入力部２２または第３入力部２３で撮影指示を行なうまでの一連の流れを入力装置２１０から指を離すことなく、また撮像装置３００を持ち替えることもなくスムーズに行なうことができる。
【０１２６】
なお、ダイヤル状の操作アイコン３１０の各領域にフレームレートを１ｆｐｓから９６０ｆｐｓまで１ｆｐｓ単位で割り当てて、フレームレートを１ｆｐｓ単位で切り替えられるようにしてもよい。
【０１２７】
なお、ディスプレイ３０３に表示されることにより構成される第１入力部２１は、上述したようなダイヤル状の操作アイコン３１０に限られず、図９Ｄに示すようにディスプレイ３０３を等間隔で分割したマス目状に構成してもよい。
【０１２８】
このように第１入力部２１をマス目状に構成する場合、静止画撮影モードを示す「静」と動画撮影のフレームレートを示す値の表示は任意に設定することができる。例えば、図９Ｄに示すように、静止画撮影モードを示す「静」を１つのマス目に配置し、その他のマス目に順にフレームレートを配置する。
【０１２９】
フレームレートの配置は、例えば、一般的に滑らかな映像が再現できるとされ、通常の動画の撮影に用いられる６０ｆｐｓを基準とし、６０ｆｐｓ以上と以下で、フレームレートの間隔が異なるようにしてもよい。これにより、マス目が大量になってしまい、見難くなり、操作しにくくなることを防止することができる。また、マス目の大きさ、数をユーザが任意に設定することができるようにしてもよい。
【０１３０】
なお、図９Ｄのマス目状の構成においてもそのマス目をモニタリング画像上に重畳して表示してもよいし、ユーザからの入力に応じて、モニタリング画像から切り替えて表示するようにしてもよい。
【０１３１】
第３の実施の形態は以上のようにして構成されている。なお、撮像装置３００の状態遷移およびユーザからの入力に対する制御処理は第１の実施の形態と同様である。
【０１３２】
第３の実施の形態によれば、撮影モードおよび動画撮影のフレームレートをシームレスで連続的な入力で容易に切り替えることができるとともに、撮影モードおよび動画撮影のフレームレートの切り替えから静止画取得、動画取得までの一連の撮影操作を容易に行なうことができる。
【０１３３】
従来はフレームレート可変の撮影は主に業務用機器の使用経験がある者に限られていたが、本技術を用いることにより、誰でも容易にフレームレートを切り替えて動画撮影を行なうことができる。第１入力部２１への入力でフレームレートを切り替え、第２入力部２２で撮影の指示を行なうため、直感的に撮影モードの切り替え、フレームレートの切り替えおよび撮影を行なうことができる。よって、業務用機器の使用経験が無いユーザであってもすぐに慣れ、所望する今までに撮影することができなかった動画を撮影することが可能となる。また、業務用機器においてフレームレート可変の撮影の経験があるユーザにとっては、よりよい操作性によって撮影が容易となり、撮影の幅を広げることができる。
【０１３４】
＜４．変形例＞
以上、本技術の実施の形態について具体的に説明したが、本技術は上述の実施の形態に限定されるものではなく、本技術の技術的思想に基づく各種の変形が可能である。
【０１３５】
第１入力部２１は、図１０に示すように撮像装置１００が備える撮影レンズ１２０のリング１２１の回転操作に割り当てるようにしてもよい。この場合、リング１２１の初期位置を静止画撮影とし、一方側（例えばＬ方向）への回転で低フレームレートへの切り替え、他方側（Ｒ方向）への回転で高フレームレートへの切り替えとしてもよい。なお、撮影レンズ１２０のリング１２１は、カメラの正面側に設けられているため、図１０においては、Ｌ方向、Ｒ方向が図２の逆となっている。
【０１３６】
また、第１および第２の実施の形態においては、第３入力部２３の機能を撮像装置１００、２００があらかじめ備えているシャッタボタン１４０に割り当ててもよい。第３入力部２３の用途は動画撮影待機状態または動画撮影中における静止画撮影であるため、その機能をシャッタボタン１４０に割り当てることにより、ユーザは直感的に静止画撮影を行なうことができる。
【０１３７】
また、第３の実施の形態の具体的な例であるスマートフォンにおいては、音量調節ボタン３０６などのハードウェアボタンがカメラアプリのシャッタボタンとして機能するものがある。そのような場合には、第３入力部２３の機能をそのシャッタボタンとして機能するハードウェアボタンに割り当ててもよい。
【０１３８】
第１乃至第３のいずれの実施の形態においても、動画撮影中には第１入力部２１への入力を受け付けないようにしてもよい。例えば、動画撮影中にフレームレートを変更したくない場合に有効である。
【０１３９】
第１の実施の形態および第２の実施の形態はデジタルカメラ、第３の実施の形態はスマートフォンを例にして説明を行ったが、いずれの実施の形態もそれら特定の機器に限定されるものではない。第１および第２の実施の形態をスマートフォンに適用してもよいし、第３の実施の形態をデジタルカメラに適用してもよい。
【０１４０】
また、本技術は、一眼レフカメラ、デジタルビデオカメラ、ネットワークカメラ、車載カメラ、監視カメラ、ノートパソコン、タブレット端末、携帯ゲーム機、腕時計型のウェアラブル端末、眼鏡型のウェアラブル端末などカメラ機能を備えるものであればどのようなものにも適用可能である。
【０１４１】
また、複数のデジタルカメラ、デジタルビデオカメラ、スマートフォンなどをＷｉＦｉネットワークなどで接続して、それらの複数の機器で同時に撮影を行なうことができるいわゆるマルチカメラシステムにも本技術を適用することが可能である。例えば、ユーザがシャッタ操作などを行なうメインカメラにおいて本技術を利用し撮影モードとフレームレートを設定した場合、その設定がＷｉＦｉネットワークなどを通じてその他のサブカメラに送信され、サブカメラにおいてもその設定が適用される、などである。
【０１４２】
本技術は以下のような構成も取ることができる。
（１）
静止画撮影モードと、動画撮影時の複数のフレームレートの設定が連続的に入力可能な第１入力部からの入力に応じた撮影設定を行う制御部と
を備える撮像装置。
（２）
前記第１入力部は、第１のフレームレートから、前記静止画撮影モード、前記第１のフレームレートよりも低い値である第２のフレームレートへと連続的に入力可能である
（１）に記載の撮像装置。
（３）
前記第１入力部は、第１のフレームレートから、前記第１のフレームレートよりも低い値である第２のフレームレート、前記静止画撮影モードへと連続的に入力可能である
（１）に記載の撮像装置。
（４）
前記第１入力部は、第１のフレームレートから、該第１フレームレートよりも低い値である第２のフレームレート、前記静止画撮影モード、前記第２のフレームレートよりも低い値である第３のフレームレートへと連続的に入力可能である
（１）に記載の撮像装置。
（５）
前記第１入力部は、第１のフレームレートから、前記静止画撮影モード、前記第１フレームレートよりも低い値である第２のフレームレート、該第２のフレームレートよりも低い値である第３のフレームレートへと連続的に入力可能である
（１）に記載の撮像装置。
（６）
前記第１入力部は、第１のフレームレートから、前記静止画撮影モード、前記第１フレームレートよりも低い値である第２のフレームレート、該第１のフレームレートよりも高い値である第３のフレームレート、前記第１フレームレートへと連続的に入力可能である
（１）に記載の撮像装置。
（７）
前記第１入力部はさらに、前記第１のフレームレートから該第１のフレームレートまでの一連の連続的な入力において、複数回前記静止画撮影モードへの設定が可能である
（１）から（６）のいずれかに記載の撮像装置。
（８）
前記第１入力部は、２つ以上の異なる方向への入力で前記静止画撮影モードと、前記動画撮影時の複数のフレームレートの設定が連続的に入力可能である
（１）から（７）のいずれかに記載の撮像装置。
（９）
前記ユーザからの前記静止画の撮影および前記動画の撮影の指示を受け付ける第２入力部を備える
（１）から（８）のいずれかに記載の撮像装置。
（１０）
前記第２入力部は前記第１入力部と一体的に構成されている
（９）に記載の撮像装置。
（１１）
前記第２入力部への入力は前記第１入力部への入力とは異なる方向への入力である
（９）または（１０）に記載の撮像装置。
（１２）
前記第２入力部は２種類の入力を受け付け可能に構成されている
（９）から（１１）のいずれかに記載の撮像装置。
（１３）
前記静止画を撮影するモードで動作している場合において、前記第１入力部が前記フレームレートの選択指示を受け付けた場合、前記制御部は、前記動画を撮影するモードに遷移させる
（１）から（１２）のいずれかに記載の撮像装置。
（１４）
前記制御部は、前記動画の撮影中に前記第１入力部に前記フレームレートの切り替えを指示する入力がなされた場合、前記フレームレートの切り替え処理を行なう
請求項１に記載の撮像装置。
（１５）
前記第１入力部は、回転操作可能なダイヤルとして構成されている
（１）から（１４）のいずれかに記載の撮像装置。
（１６）
前記第１入力部と一体的に構成され、押動可能なスイッチとして構成されている第２入力部を備える
（１５）に記載の撮像装置。
（１７）
前記第１入力部は、操作片が所定の方向にスライドするスライダとして構成されている
（１）から（１４）のいずれかに記載の撮像装置。
（１８）
前記第１入力部は、タッチパネルで構成されている
（１）から（１４）のいずれかに記載の撮像装置。
（１９）
静止画撮影モードと、動画撮影時の複数のフレームレートの設定が連続的に入力可能な第１入力部からの入力に応じた撮影設定を行う
撮像方法。
（２０）
静止画撮影モードと、動画撮影時の複数のフレームレートの設定が連続的に入力可能な第１入力部からの入力に応じた撮影設定を行う
撮像方法をコンピュータに実行させる撮像プログラム。
【符号の説明】
【０１４３】
１１・・・・・・・・・・・・制御部
２１・・・・・・・・・・・・第１入力部
２２・・・・・・・・・・・・第２入力部
２３・・・・・・・・・・・・第３入力部
１００、２００、３００・・・撮像装置
２３０・・・・・・・・・・・操作片
【図１】
2017169021.tif 000003
【図２】
2017169021.tif 000004
【図３】
2017169021.tif 000005
【図４】
2017169021.tif 000006
【図５】
2017169021.tif 000007
【図６】
2017169021.tif 000008
【図７】
2017169021.tif 000009
【図８】
2017169021.tif 000010
【図９】
2017169021.tif 000011
【図１０】
2017169021.tif 000012